(57)【要約】【課題】  四辺のうちの対向二辺に金属成形フレームを使用する場合でも、内枠の軽量化と必要な強度の確保を容易とし、残りの対向二辺に固定するための孔等の二次加工を要することなく、製造工程の簡素化、ひいては製造コストの低減を図ることのできる遊技機用内枠構造とそれを備えた遊技機を提供する。【解決手段】  延出部３１と上フレーム２０Ｕの取付凸部２２とを位置合わせしつつ、右連結フレーム３０Ｒを開口部１３から前方側へ挿入し、右フレーム１０Ｒに抱持させる。ビス３９を延出部３１の取付孔３３に挿通し、取付凸部２２のねじ孔２３と螺合することにより、右連結フレーム３０Ｒが右フレーム１０Ｒを上フレーム２０Ｕ側に挟み込む状態にて、延出部３１と取付凸部２２とを固定する。【選択図】  図４
2011024627.tif 000002
【特許請求の範囲】
【請求項１】
遊技機の外枠に対してヒンジにより開閉可能に装着されるとともに、矩形状に四分割された枠組により構成され、その四辺の枠組は、前記ヒンジの回動軸線と平行状に配置される対向二辺が金属材料製の一対の第一フレームにより、残りの対向二辺が高分子材料製の一対の第二フレームにより、それぞれ形成された遊技機用内枠構造において、
前記第二フレームの長手方向両端部には、前記第一フレームの少なくとも長手方向端部に形成された第一係合部に対して前記第一フレームとの相対移動を阻止するための第二係合部がそれぞれ形成される一方、
前記一対の第一フレームには、各々の第一フレームに沿って平行状に延びる一対の連結フレームが配置され、
前記第一フレームの第一係合部と前記第二フレームの第二係合部とが係合嵌合し、かつ前記連結フレームの長手方向端部が、締結部材によって前記第二フレームの長手方向端部に固定されることを特徴とする遊技機用内枠構造。
【請求項２】
前記第一係合部は、前記第一フレームの少なくとも長手方向端面に開口形成された係合凹部であり、
前記第二係合部は、前記第二フレームの長手方向両端部にそれぞれ形成され、前記係合凹部に対して前記回動軸線方向から嵌入する係合凸部であり、
前記第一フレームの係合凹部に前記第二フレームの係合凸部が嵌入し、かつ前記連結フレームが前記第一フレームを前記第二フレーム側に挟み込む状態にて、その連結フレームの長手方向端部が、前記締結部材によって前記第二フレームの長手方向端部に固定される請求項１に記載の遊技機用内枠構造。
【請求項３】
前記連結フレームの長手方向端部は前記第一フレームの長手方向端面よりも前記回動軸線方向外側に延出し、その延出部が前記締結部材によって前記第二フレームの長手方向端部に固定されている請求項２に記載の遊技機用内枠構造。
【請求項４】
前記第一フレームの係合凹部は、壁部によって閉鎖した断面形状が前記回動軸線方向に連続することにより形成された長手方向の貫通孔であり、
前記第二フレームの係合凸部は、外部から前記係合凹部を構成する貫通孔に嵌入され、その貫通孔の内周面を自身の外周面が前記回動軸線方向に摺動して前記第一フレームに組み付けられている請求項２又は３に記載の遊技機用内枠構造。
【請求項５】
前記連結フレームには、球の払出装置を取り付けるためのベース部が形成されている請求項１ないし４のいずれか１項に記載の遊技機用内枠構造。
【請求項６】
前記ヒンジの回動軸線の位置する側とは反対側の連結フレームには、前記外枠に対する施錠装置を搭載するとともに、
その施錠装置を搭載する連結フレームは、前記第一フレームを前記第二フレームの位置する側とは反対側から第二フレーム側に押圧した状態で、自身の長手方向端部が前記締結部材によって前記第二フレームの長手方向端部に固定されている請求項１ないし４のいずれか１項に記載の遊技機用内枠構造。
【請求項７】
前記連結フレームと前記第一フレーム又は第二フレームとの間には、それらによって長手方向に沿って閉鎖状に形成され、遊技に係わる電気配線を収容可能な長手空間が設けられている請求項１ないし６のいずれか１項に記載の遊技機用内枠構造。
【請求項８】
請求項１ないし７のいずれか１項に記載の遊技機用内枠構造を備え、前記外枠に対して前記ヒンジにより開閉可能に装着されることを特徴とする遊技機。
【発明の詳細な説明】
【技術分野】
【０００１】
本発明は、遊技機用内枠構造とその内枠構造を備えた遊技機に関する。
【背景技術】
【０００２】
例えば、パチンコ機において、外枠に対してヒンジにより開閉可能に装着される内枠は、軽量化及びコストダウンを図るため、従来の金属製から合成樹脂製を採用する傾向が顕著になっている。ただし、矩形状の内枠全体を合成樹脂にて一体成形する場合には、成形用の金型が大型化して成形費用（製造コスト）が高騰する上に、成形時や装着後の変形（反り）が大きくなって製品歩留まりが悪化したり使用時（特に開放時）に不具合が発生したりするおそれもある。
【０００３】
そこで、遊技盤を囲んで矩形状に四分割された枠組によって内枠を構成し、その四辺（上下左右）の各枠（前面枠の板部）を個々に高分子材料（例えばＡＢＳ樹脂等の合成樹脂材料）によって形成する四分割構造が提案されている（特許文献１参照）。また、四辺の枠組のうち、ヒンジの回動軸線と平行状に配置される対向二辺を金属材料製の左右の縦辺部材（縦フレーム）により形成し、残りの対向二辺を高分子材料製の上下辺部材（横フレーム）により形成する四分割構造も提案されている（特許文献２参照）。
【先行技術文献】
【特許文献】
【０００４】
【特許文献１】特開平９−１８２８５６号公報
【特許文献２】特許第３７２７２６２号公報
【０００５】
これらの四分割構造によれば、高分子材料の採用により内枠の軽量化や製造コストの低減をある程度達成することができる。しかし、特許文献１のように四辺すべて高分子材料製の場合には、成形時の変形（反り）は縮小するものの、使用時（特に外枠に対して内枠を開放した時）の変形（反り）は大きい。したがって、装着後の補強のため、高分子材料製の板部（前面枠）に沿ってさらに、高分子材料（例えばＡＢＳ樹脂等の合成樹脂材料）製の上方・左側・右側の枠部（取付枠）を必要とし、製造コストはかえって上昇する。一方、特許文献２のように金属材料製の縦フレームと高分子材料製の横フレームとを組み合わせる場合には、縦フレームに金属成形フレーム（例えば冷間押出成形品）を用いることにより、必要な強度を保持しつつ比較的安価に製造できる。ところが、このような金属成形フレームを縦フレームに使用するには、ビス等の締結部材により横フレームに固定するための孔（ビス孔、ねじ孔等）を成形品に対して二次加工する必要があり、その際、縦フレームや横フレームの形状・寸法は遊技機の型式によってまちまちであるから、孔加工を標準化（規格化）することはきわめて難しい。したがって、内枠全体として製造工程の簡素化、ひいては製造コストの低減を図ることは困難である。
【発明の概要】
【発明が解決しようとする課題】
【０００６】
本発明の課題は、四辺のうちの対向二辺に金属成形フレームを使用する場合でも、内枠の軽量化と必要な強度の確保を容易とし、残りの対向二辺に固定するための孔等の二次加工を要することなく、製造工程の簡素化、ひいては製造コストの低減を図ることのできる遊技機用内枠構造とそれを備えた遊技機を提供することにある。
【課題を解決するための手段及び発明の効果】
【０００７】
上記の課題を解決するために、本発明の遊技機用内枠構造は、
遊技機の外枠に対してヒンジにより開閉可能に装着されるとともに、矩形状に四分割された枠組により構成され、その四辺の枠組は、前記ヒンジの回動軸線と平行状に配置される対向二辺が金属材料製の一対の第一フレームにより、残りの対向二辺が高分子材料製の一対の第二フレームにより、それぞれ形成された遊技機用内枠構造において、
前記第二フレームの長手方向両端部には、前記第一フレームの少なくとも長手方向端部に形成された第一係合部に対して前記第一フレームとの相対移動を阻止するための第二係合部がそれぞれ形成される一方、
前記一対の第一フレームには、各々の第一フレームに沿って平行状に延びる一対の連結フレームが配置され、
前記第一フレームの第一係合部と前記第二フレームの第二係合部とが係合し、かつ前記連結フレームの長手方向端部が、締結部材によって前記第二フレームの長手方向端部に固定されることを特徴とする。
【０００８】
その際、現実的な遊技機用内枠構造は、
遊技機（例えばパチンコ機）の外枠に対してヒンジにより開閉可能に装着されるとともに、遊技盤を囲んで矩形状に四分割された枠組により構成され、その四辺の枠組は、前記ヒンジの回動軸線と平行状に配置される対向二辺が金属材料製の一対の第一フレームにより、残りの対向二辺が高分子材料製の一対の第二フレームにより、それぞれ形成された遊技機用内枠構造において、
前記第二フレームの長手方向両端部には、前記第一フレームの少なくとも長手方向端部に形成された第一係合部に対して前記回動軸線方向から嵌合することにより、前記回動軸線に直交する断面内での前記第一フレームとの相対移動を阻止するための第二係合部がそれぞれ形成される一方、
前記一対の第一フレームには、各々の第一フレームに沿って平行状に延びる一対の連結フレームが配置され、
前記第一フレームの第一係合部と前記第二フレームの第二係合部とが嵌合し、かつ前記連結フレームが前記第一フレームと前記第二フレームとを挟み付ける状態にて、その連結フレームの長手方向端部が、締結部材によって前記第二フレームの長手方向端部に固定される。
【０００９】
このように、金属材料製の第一フレーム（例えば縦フレーム）の第一係合部と高分子材料製の第二フレーム（例えば横フレーム）の第二係合部とが係合（例えば嵌合）し、（例えば左右一対の連結フレームの各々が第一フレームと第二フレームとを挟み付ける状態にて、各々の）連結フレームの長手方向端部が、締結部材（例えばビス）によって第二フレームの長手方向端部に固定される。これによって、第一フレームに金属成形フレーム（例えばアルミニウム材料又はその合金材料からなる冷間押出成形品であるアルミ成形フレーム）を使用する場合でも、内枠の軽量化と必要な強度の確保を容易とし、第二フレームに固定するための孔等の二次加工を要することなく、製造工程の簡素化、ひいては製造コストの低減を図ることができる。
【００１０】
しかも、第一フレームに沿って平行状に配置される連結フレームは、内枠の構造材としての強度や位置合わせのための精密な寸法精度を必要とするわけではないので、高価な材料や特殊な加工を要しない。したがって、連結フレームは、金属材料（例えばスチール板金）製に限らず、高分子材料（例えばＡＢＳ樹脂等の合成樹脂材料）製であってもよい。なお、第二フレームは、例えば剛性が高く成形性のよいＡＢＳ樹脂等の合成樹脂材料によって形成することが望ましい。
【００１１】
ただし、第二係合部は第一係合部と係合するとき、その第一係合部を外側から取り囲みつつ、自身の内周面が第一係合部の外周面と摺動して回動軸線方向に移動し、かつ連結フレームが第二フレームを第一フレーム側に挟み込む状態にて、その連結フレームの長手方向端部が、締結部材によって第二フレームの長手方向端部に固定される場合がある。
【００１２】
あるいは、第一係合部は第二係合部と係合するとき、その第二係合部を外側から取り囲みつつ、自身の内周面が第二係合部の外周面と摺動して回動軸線と交差（直交）する方向（例えば水平左右方向）に移動し、かつ連結フレームが第一フレームを第二フレーム側に挟み込む状態にて、その連結フレームの長手方向端部が、締結部材によって第二フレームの長手方向端部に固定される場合もある。
【００１３】
ところで、第一係合部は、第一フレームの少なくとも長手方向端面に開口形成された係合凹部であり、
第二係合部は、第二フレームの長手方向両端部にそれぞれ形成され、係合凹部に対して前記回動軸線方向から嵌入する係合凸部であり、
第一フレームの係合凹部に第二フレームの係合凸部が嵌入し、かつ連結フレームが第一フレームを第二フレーム側に挟み込む状態にて、その連結フレームの長手方向端部が、締結部材によって第二フレームの長手方向端部に固定されることが望ましい。
【００１４】
この場合には、第一フレームの係合凹部に第二フレームの係合凸部が嵌入し、（例えば左右一対の）連結フレーム（の各々）が第一フレームを第二フレーム側に挟み込む状態にて、（各々の）連結フレームの長手方向端部が、締結部材（例えばビス）によって第二フレームの長手方向端部に固定される。係合凹部と係合凸部とによって第一フレームと第二フレームとを堅牢に組み付けることができ、組立作業も容易である。
【００１５】
そして、このような内枠構造は、例えば次のいずれによって組み立ててもよい。
（１）一対の第一フレーム（左フレームと右フレーム；縦フレーム）の係合凹部に一対の第二フレーム（上フレームと下フレーム；横フレーム）の係合凸部を回動軸線方向からそれぞれ嵌入し、矩形状に枠組構成する。各々の第一フレームに沿って平行状に一対の（左右の）連結フレームを配置し、各連結フレームの長手方向端部（延出部）を各第二フレームの長手方向端部にビス固定する。
【００１６】
（２）一対の第一フレーム（左フレームと右フレーム；縦フレーム）の係合凹部に一方の第二フレーム（上フレーム又は下フレーム；横フレーム）の係合凸部を回動軸線方向からそれぞれ嵌入し、門形状に枠組構成する。各々の第一フレームに沿って平行状に一対の（左右の）連結フレームを配置し、各連結フレームの長手方向一端部（上端延出部）を第二フレームの長手方向端部にビス固定する。他方の第二フレーム（下フレーム又は上フレーム；横フレーム）の係合凹部を一対の第一フレームの係合凹部に回動軸線方向からそれぞれ嵌合し、矩形状に枠組構成する。各連結フレームの長手方向他端部（下端延出部）を第二フレームの長手方向端部にビス固定する。
【００１７】
（３）一対の第一フレーム（左フレームと右フレーム；縦フレーム）の各々に沿って平行状に、一対の（左右の）連結フレームを配置（仮止め）して一対の組合せ体を形成する。各組合せ体の第一フレームに形成された係合凹部に、第二フレームに形成された係合凸部を回動軸線方向からそれぞれ嵌入し、矩形状に枠組構成する。各連結フレームの長手方向両端部（延出部）を各第二フレームの長手方向端部にビス固定する。
【００１８】
（４）一対の第二フレーム（上フレームと下フレーム；横フレーム）の第二係合部が、一対の第一フレーム（左フレームと右フレーム；縦フレーム）の第一係合部を外側から取り囲みつつ、自身の内周面が第一係合部の外周面と摺動して回動軸線方向に移動して嵌合し、矩形状に枠組構成する。各々の第一フレームに沿って平行状に一対の（左右の）連結フレームを配置し、各連結フレームの長手方向両端部（延出部）を各第二フレームの長手方向端部にビス固定する。
【００１９】
（５）一対の第一フレーム（左フレームと右フレーム；縦フレーム）の第一係合部が、一対の第二フレーム（上フレームと下フレーム；横フレーム）の第二係合部を外側から取り囲みつつ、自身の内周面が第一係合部の外周面と摺動して回動軸線と直交する水平左右方向に移動して係合し、矩形状に枠組構成する。各々の第一フレームに沿って平行状に一対の（左右の）連結フレームを配置し、各連結フレームの長手方向両端部（延出部）を各第二フレームの長手方向端部にビス固定する。
【００２０】
このようにして組み立てられた内枠構造では、さらに、連結フレームの長手方向端部は第一フレームの長手方向端面よりも回動軸線方向外側に延出し、その延出部が締結部材によって第二フレームの長手方向端部に固定されているとよい。
【００２１】
これにより、連結フレームと第二フレームとで第一フレームを確実に挟み込んで保持しながら、第二フレームの位置する側とは反対側（の外方）から締結部材を締め付けることにより、連結フレームの延出部（長手方向端部）を第二フレームの長手方向先端部に容易に固定することができる。
【００２２】
例えば、第一フレームの係合凹部は、壁部によって閉鎖した断面形状が回動軸線方向に連続することにより形成された長手方向の貫通孔であり、
第二フレームの係合凸部は、外部から係合凹部を構成する貫通孔に嵌入され、その貫通孔の内周面を自身の外周面が回動軸線方向に摺動して第一フレームに組み付けることができる。
【００２３】
このような貫通孔（係合凹部）を有する第一フレームは、金属材料（例えばアルミニウム材料又はその合金材料）製の成形品（例えば冷間押出成形品）である金属成形フレーム（例えばアルミ成形フレーム）として安価に製造できる。また、その貫通孔は、第二フレームの係合凸部を嵌入（摺動）させるための組み付けガイドとして活用される。
【００２４】
具体的には、第一フレームには、貫通孔の壁部に隣接する形で、長手方向の全体にわたって連続的に開口する開口部が形成され、
連結フレームを、その開口部から第一フレームに挿入し抱持させるとともに、延出部を第二フレームの長手方向端部に固定することができる。
【００２５】
これにより、連結フレームを開口部から第一フレームに挿入すれば、連結フレームはそのまま第一フレームに抱持されるので、延出部（連結フレームの長手方向端部）の第二フレームの長手方向先端部への固定が容易に行える。
【００２６】
さらに具体的には、連結フレームの延出部（長手方向端部）には、締結部材の取付位置に対応して第二フレームの長手方向端部から突出形成された取付凸部を収納するための挿入凹部が、第一フレームへの挿入方向又はその第一フレームの形成方向に沿って形成される場合がある。
【００２７】
このように、連結フレームの延出部（長手方向端部）において、第一フレームへの挿入方向又は第一フレームの形成方向に沿って挿入凹部を形成することにより、第二フレームの長手方向端部から突出形成された取付凸部を挿入ガイドとして連結フレームを挿入するだけで、挿入凹部に取付凸部を収納することができる。このような挿入凹部と取付凸部とを形成することによって、第一フレーム、第二フレーム及び連結フレームの位置決めが極めて容易に行える。
【００２８】
また、連結フレームには、少なくとも遊技に対する賞球を払い出すための球通路部が高分子材料にて一体成形され、
その球通路部をカバー体で覆うことにより払出装置を形成することができる。
【００２９】
連結フレームに球通路部を一体成形することにより、払出装置を取り付けるための孔等の二次加工を第一フレームに施さなくてすむので、製造工程の簡素化、ひいては製造コストの低減を図ることができる。また、払出装置の小型化と遊技機の内部構造の簡素化を図り、背面側スペースを拡大することができる。
【００３０】
あるいは、連結フレームには、球の払出装置を取り付けるためのベース部を形成することができる。
【００３１】
連結フレームに払出装置のためのベース部を形成することにより、払出装置を取り付けるための孔等の二次加工を第一フレームに施さなくてすむので、製造工程の簡素化、ひいては製造コストの低減を図ることができる。また、この場合には、ベース部に対して、少なくとも遊技に対する賞球を払い出すための球通路体と、その球通路体を覆うカバー体とを組み付けることにより払出装置を形成することができる。さらに、連結フレームに払出装置のためのベース部を形成してあれば、払出装置の主要部をなす球通路体やカバー体をセットで組み付けること（カセット化）ができるので、遊技機の内部構造の簡素化や背面側スペースの拡大とともに、払出装置の取付工程を簡略化することができる。
【００３２】
他方、ヒンジの回動軸線の位置する側とは反対側の連結フレームには、外枠に対する施錠装置を搭載するとともに、
その施錠装置を搭載する連結フレームは、第一フレームを第二フレームの位置する側とは反対側から第二フレーム側に押圧した状態で、自身の長手方向端部（延出部）を締結部材によって第二フレームの長手方向端部に固定することができる。
【００３３】
連結フレームに施錠装置を搭載することにより、連結フレームが施錠装置の主要部を兼ねることが可能となり、施錠装置を取り付けるための孔等の二次加工を第一フレームに施さなくてすむので、製造工程の簡素化、ひいては製造コストの低減を図ることができる。また、この場合には、連結フレームは金属材料（例えばスチール板金）製にて形成されるので、第一フレームとともに内枠の強度（剛性）を高めることができる。
【００３４】
ところで、連結フレームと第一フレーム（例えば第一フレームの貫通孔の壁部）又は第二フレームとの間には、それらによって長手方向に沿って閉鎖状に形成され、遊技に係わる電気配線を収容可能な長手空間（例えば上下空間）を設けることができる。
【００３５】
このような長手空間を設けることにより長手方向に沿って電気配線を通し、連結フレームによって長手空間に蓋をするので、電気配線をすっきり収納することができ、ぶら下がり基板等を用いた不正行為の防止にも役立つ。
【００３６】
そこで、上記課題を解決するために、本発明の遊技機は、
以上のような遊技機用内枠構造を備え、前記外枠に対して前記ヒンジにより開閉可能に装着されることを特徴とする。
【００３７】
このように、内枠構造の第一フレームに金属成形フレーム（例えばアルミニウム材料又はその合金材料からなる冷間押出成形品であるアルミ成形フレーム）を使用する場合でも、内枠の軽量化と必要な強度の確保を容易とし、第二フレームに固定するための孔等の二次加工を要することなく、製造工程の簡素化、ひいては製造コストの低減を図ることができる。
【００３８】
なお、本発明の内枠構造は、パチンコ機、アレパチ機等の弾球遊技機に対して特に好適に用いられる。
【図面の簡単な説明】
【００３９】
【図１】本発明に係る内枠構造を備えたパチンコ機を例示する正面図。
【図２】本発明に係る第一の内枠構造を示す後方からの全体斜視図。
【図３】図２の内枠構造の主要部を分解して示す斜視図。
【図４】縦フレーム、横フレーム及び連結フレームの接続構成を説明する分解斜視図。
【図５】図４の接続構成を拡大して示す側面図。
【図６】図５のＡ−Ａ断面図及びＢ−Ｂ断面図。
【図７】左連結フレームの斜視図。
【図８】本発明に係る第四の内枠構造を示す後方からの全体斜視図。
【図９】図８の内枠構造の主要部を分解して示す斜視図。
【図１０】本発明に係る第五の内枠構造を示す後方からの全体斜視図。
【図１１】図１０の内枠構造の主要部を分解して示す斜視図。
【図１２】本発明に係る第七の内枠構造を示す後方からの全体斜視図。
【図１３】図１２の内枠構造の主要部を分解して示す斜視図。
【図１４】図１３の接続構成を拡大して示す側面図。
【図１５】図１４のＡ’−Ａ’断面図。
【図１６】第一の変形例を説明する図６（ａ）相当の断面図。
【図１７】第二の変形例を説明する図４相当の分解斜視図。
【図１８】本発明に係る第二の内枠構造を示す図４相当の分解斜視図及び図６（ａ）相当の断面図。
【図１９】本発明に係る第三の内枠構造を示す図４相当の分解斜視図及び図６（ａ）相当の断面図。
【図２０】本発明に係る第六の内枠構造の主要部を分解して示す斜視図。
【発明を実施するための形態】
【００４０】
（実施例１）
以下、本発明の実施の形態を図面を参照しつつ説明する。図１は本発明に係る遊技機用内枠構造（以下、単に内枠構造、内枠ともいう）を備えたパチンコ機を例示する正面図である。図１に示すように、パチンコ機１（遊技機）には遊技盤２が設けられ、前面側（遊技者に対面する側）の盤面には、ほぼ左半周が内外２本の発射レール２ｂによって区画され、全体として円形の遊技領域２ａが形成されている。遊技盤２（遊技領域２ａ）のほぼ中央には液晶表示部３が搭載され、液晶表示部３の下方（遊技領域２ａの中央下部）に大入賞口７が配置されている。また、液晶表示部３と大入賞口７との間には、電動チューリップ（電チュー）にて構成される始動入賞口８が配置されている。
【００４１】
遊技盤２は内枠４に固定され、内枠４は正面視左側にて上下一対のヒンジ４ａにより外枠５に対して回動軸線Ｏ周りに回動開閉可能に支持されている。また、遊技盤２は手前側（遊技者側）に位置するガラス板（図示せず）で覆われ、ガラス板は前面枠６（ガラス枠）に固定され、前面枠６はヒンジ５ａにより内枠４に対して回動開閉可能に支持され、その回動軸線はヒンジ４ａ（内枠４）の回動軸線Ｏとほぼ一致している。なお、内枠４は前面枠６の背面側に、外枠５は内枠４の背面側に、それぞれ全体がほぼ重なり合った状態で配置されている。
【００４２】
なお、本明細書において、上下方向とは遊技盤２の盤面に沿う形で遊技球が流下する縦方向（例えば、鉛直方向）を意味し、上方をＵ、下方をＤと表す場合がある。また、左右方向とは遊技盤２の盤面に沿う形で上下方向と交差する横方向（例えば、水平方向）を意味し、遊技者側からみて左側をＬ、右側をＲと表す場合がある。さらに、前後方向とは遊技盤２と交差（例えば、直交）する方向を意味し、遊技者に対面する側（手前側）である前面側（前方側）をＦ、その反対側（奥側）である後面側（後方側）をＢと表す場合がある（図２参照）。
【００４３】
図２は本発明に係る第一の内枠構造を示す後方からの全体斜視図、図３はその内枠構造の主要部を分解して示す斜視図である。図２に示すように、この内枠４は、外枠５（図１参照）に対して回動軸線Ｏ周りに回動開閉可能に装着されるとともに、遊技盤２を囲む形で矩形状に四分割された枠組により構成されている。
【００４４】
図２及び図３に示すように、四辺の枠組のうち、回動軸線Ｏと平行状に配置される対向二辺は、金属（例えばアルミニウムまたはその合金）材料製の左フレーム１０Ｌ（縦フレーム；第一フレーム）と、同じく右フレーム１０Ｒ（縦フレーム；第一フレーム）とにより形成されている。一方、残りの対向二辺は、高分子（例えばＡＢＳ樹脂等の合成樹脂）材料製の上フレーム２０Ｕ（横フレーム；第二フレーム）と、同じく下フレーム２０Ｄ（横フレーム；第二フレーム）とにより形成されている。また、左フレーム１０Ｌには、その左フレーム１０Ｌに沿って上下方向に平行状に延びる左連結フレーム３０Ｌ（連結フレーム）が配置され、右フレーム１０Ｒには、その右フレーム１０Ｒに沿って上下方向に平行状に延びる右連結フレーム３０Ｒ（連結フレーム）が配置されている。なお、左フレーム１０Ｌ及び右フレーム１０Ｒには冷間押出成形品としてのアルミ成形フレーム（金属成形フレーム）が用いられ、左連結フレーム３０Ｌ及び右連結フレーム３０Ｒは高分子（例えばポリプロピレン（ＰＰ）等の合成樹脂）材料製である。
【００４５】
次に、図４は上記した各フレームの接続構成を説明する分解斜視図、図５はそれらの接続構成を拡大して示す側面図、図６は図５のＡ−Ａ断面図及びＢ−Ｂ断面図、図７は左連結フレームの斜視図である。図４（及び図３）から明らかなように、左フレーム１０Ｌ（及び右フレーム１０Ｒ）の長手方向の上下端面には、長手方向（上下方向）に形成された貫通孔１１（係合凹部；第一係合部）がそれぞれ開口している。一方、上フレーム２０Ｕ（及び下フレーム２０Ｄ）の長手方向（左右方向）両端部には係合凸部２１（第二係合部）がそれぞれ回動軸線Ｏ方向に突出形成され、各々の係合凸部２１は回動軸線Ｏ方向から貫通孔１１へ嵌入する。そして、貫通孔１１と係合凸部２１とが嵌合することにより、左フレーム１０Ｌ（及び右フレーム１０Ｒ）と上フレーム２０Ｕ（及び下フレーム２０Ｄ）との水平方向（例えば左右方向及び前後方向）への相対移動が阻止されている。
【００４６】
具体的には、図６（ａ）に示すように、右フレーム１０Ｒの貫通孔１１は、壁部１２によって閉鎖したＬ字形の断面形状が回動軸線Ｏ方向（長手方向；上下方向）に連続することにより貫通形成されている。また、左フレーム１０Ｌの貫通孔１１は、壁部１２によって閉鎖した矩形の断面形状が回動軸線Ｏ方向（長手方向；上下方向）に連続することにより貫通形成されている。したがって、上フレーム２０Ｕ（下フレーム２０Ｄ）の係合凸部２１は、左フレーム１０Ｌ（右フレーム１０Ｒ）の貫通孔１１に嵌入し、貫通孔１１の内面を回動軸線Ｏ方向に摺動して、左フレーム１０Ｌ（右フレーム１０Ｒ）に組み付けられる。
【００４７】
図４（及び図３）に戻り、左フレーム１０Ｌ（右フレーム１０Ｒ）には、貫通孔１１の壁部１２に隣接する形で、長手方向（上下方向）の全体にわたって連続的に後方開口する開口部１３が形成されている。また、上フレーム２０Ｕ（下フレーム２０Ｄ）の長手方向（左右方向）の先端部には、ねじ孔２３を有する複数（例えば２個）の取付凸部２２が左右方向へそれぞれ突出形成されている（図６（ｂ）参照）。さらに、左連結フレーム３０Ｌ及び右連結フレーム３０Ｒの長手方向上端部（下端部）は、左フレーム１０Ｌ及び右フレーム１０Ｒの長手方向上端面（下端面）よりも回動軸線Ｏ方向の上方（下方）に延出して延出部３１を構成している（図５，図７参照）。
【００４８】
図６（ｂ）に示すように、左連結フレーム３０Ｌ（右連結フレーム３０Ｒ）の延出部３１には、取付凸部２２を収納するための挿入凹部３２が、左フレーム１０Ｌ（右フレーム１０Ｒ）の開口部１３への挿入方向に沿って（前方へ向かって）形成されている。また、その挿入凹部３２（延出部３１）には、ねじ孔２３と同数（例えば２個）の取付孔３３が、各ねじ孔２３と対応する位置に貫通形成されている。したがって、延出部３１の挿入凹部３２と上フレーム２０Ｕ（下フレーム２０Ｄ）の取付凸部２２とを位置合わせしつつ、左連結フレーム３０Ｌ（右連結フレーム３０Ｒ）を開口部１３から前方側へ挿入し、左フレーム１０Ｌ（右フレーム１０Ｒ）に抱持させる（図４参照）。そして、ビス３９（締結部材）を延出部３１の取付孔３３に挿通し、取付凸部２２のねじ孔２３と螺合することにより、左連結フレーム３０Ｌ（右連結フレーム３０Ｒ）が左フレーム１０Ｌ（右フレーム１０Ｒ）を上フレーム２０Ｕ（下フレーム２０Ｄ）側に挟み込む状態にて、延出部３１（挿入凹部３２）と取付凸部２２とを固定する（図５参照）。
【００４９】
図６（ａ）に戻り、左連結フレーム３０Ｌ（右連結フレーム３０Ｒ）の主体部はコ字形（あるいは鍋底形、バスタブ形）の断面形状を有しているので、開口部１３から前方側へ挿入されたとき、左フレーム１０Ｌ（右フレーム１０Ｒ）の貫通孔１１の壁部１２との間に、閉鎖状の上下空間Ｓ（長手空間）が長手方向に沿って形成される。この実施例では、左連結フレーム３０Ｌの上下空間Ｓに、遊技に係わる電気配線Ｗ（図２参照）が収容されている。なお、符号３４は、電気配線Ｗを上下空間Ｓの内部から外部へ引き出す（又は外部から内部へ引き込む）ために、左連結フレーム３０Ｌの長手方向上下２ヶ所に形成された切欠である（図７参照）。
【００５０】
内枠４は以上のような構造を備えており、図３において２つの組立方法を採用できる。
【００５１】
＜第一の組立方法＞
左フレーム１０Ｌ及び右フレーム１０Ｒの貫通孔１１に上フレーム２０Ｕ及び下フレーム２０Ｄの係合凸部２１をそれぞれ嵌入し、矩形状に枠組構成する。次に、左連結フレーム３０Ｌ（右連結フレーム３０Ｒ）を開口部１３から前方側へ挿入し、左フレーム１０Ｌ（右フレーム１０Ｒ）に抱持させる。そして、ビス３９を上下端部側の延出部３１の取付孔３３に挿通し、取付凸部２２のねじ孔２３と螺合して、延出部３１（挿入凹部３２）と取付凸部２２とを固定する（図６（ｂ）参照）。
【００５２】
＜第二の組立方法＞
左フレーム１０Ｌ及び右フレーム１０Ｒの貫通孔１１に下フレーム２０Ｄの係合凸部２１をそれぞれ嵌入し、逆門形状に枠組構成する。次に、左連結フレーム３０Ｌ（右連結フレーム３０Ｒ）を開口部１３から前方側へ挿入し、左フレーム１０Ｌ（右フレーム１０Ｒ）に抱持させる。そして、ビス３９を下端部側の延出部３１の取付孔３３に挿通し、取付凸部２２のねじ孔２３と螺合して、下端部側の延出部３１（挿入凹部３２）と取付凸部２２とを固定する（図６（ｂ）参照）。さらに、上フレーム２０Ｕの係合凸部２１を左フレーム１０Ｌ及び右フレーム１０Ｒの貫通孔１１にそれぞれ嵌合し、矩形状に枠組構成する。そして、ビス３９を上端部側の延出部３１の取付孔３３に挿通し、取付凸部２２のねじ孔２３と螺合して、上端部側の延出部３１（挿入凹部３２）と取付凸部２２とを固定する（図６（ｂ）参照）。
【００５３】
このように、アルミ成形フレームで構成された左フレーム１０Ｌ及び右フレーム１０Ｒの貫通孔１１に、ＡＢＳ樹脂製の上フレーム２０Ｕ及び下フレーム２０Ｄの係合凸部２１がそれぞれ嵌入し、左連結フレーム３０Ｌ（右連結フレーム３０Ｒ）が左フレーム１０Ｌ（右フレーム１０Ｒ）を上フレーム２０Ｕ（下フレーム２０Ｄ）側に挟み込む状態にて、ビス３９により延出部３１（挿入凹部３２）と取付凸部２２とが固定される。これによって、内枠４の軽量化と必要な強度の確保が容易となり、左フレーム１０Ｌ及び右フレーム１０Ｒには、上フレーム２０Ｕ及び下フレーム２０Ｄに固定するための孔等の二次加工を要することなく、製造工程の簡素化、ひいては製造コストの低減を図ることができる。しかも、左連結フレーム３０Ｌ及び右連結フレーム３０Ｒには高価な材料や特殊な加工を要しない。
【００５４】
（変形例１）
次に、図１６は第一の変形例を説明する図６（ａ）相当の断面図である。図１６に示す右フレーム１０Ｒ（縦フレーム；第一フレーム）の貫通孔１１’（係合凹部；第一係合部）は、部分的に開放されたＬ字形の断面形状をなすように、前後方向の一辺が削除された壁部１２’が回動軸線Ｏ方向（長手方向；上下方向）に連続することにより貫通形成されている。したがって、上フレーム２０Ｕ（横フレーム；第二フレーム）の係合凸部２１（第二係合部）は、右フレーム１０Ｒの貫通孔１１’に嵌入し、貫通孔１１’の内面を回動軸線Ｏ方向に摺動して、右フレーム１０Ｒに組み付けられる。なお、左フレーム１０Ｌの貫通孔１１’（係合凹部；第一係合部）も同様に、部分的に開放された矩形の断面形状をなすように、前後方向の一辺が削除された壁部１２’が回動軸線Ｏ方向（長手方向；上下方向）に連続することにより貫通形成されているが、図示を省略した（図６（ａ）参照）。
【００５５】
（変形例２）
次に、図１７は第二の変形例を説明する図４相当の分解斜視図である。図１７に示すように、右連結フレーム３０Ｒ’（連結フレーム）の延出部３１には、上フレーム２０Ｕ（横フレーム；第二フレーム）の長手方向（右方向）の先端部から右方向へ突出形成された取付凸部２２を収納するための挿入凹部３２’が、右フレーム１０Ｒ（縦フレーム；第一フレーム）における開口部１３の形成方向に沿って（上方へ向かって）取付凸部２２と同数（例えば２個）形成されている。また、各挿入凹部３２’（延出部３１）には、ねじ孔２３と対応する位置に取付孔３３が貫通形成されている。したがって、左右フレーム１０Ｌ，１０Ｒ，上下フレーム２０Ｕ，２０Ｄ及び左右連結フレーム３０Ｌ’，３０Ｒ’は、図１７に示す第三の組立方法によって組み立てられる。
【００５６】
＜第三の組立方法＞
図１７（ａ）に示すように、右連結フレーム３０Ｒ’（左連結フレーム３０Ｌ’）を開口部１３から前方側へ挿入し、右フレーム１０Ｒ（左フレーム１０Ｌ）に抱持させて組合せ体を形成する。図１７（ｂ）に示すように、この各組合せ体の右フレーム１０Ｒ（左フレーム１０Ｌ）に形成された貫通孔１１（係合凹部；第一係合部）に、上フレーム２０Ｕ（下フレーム２０Ｄ）に形成された係合凸部２１（第二係合部）をそれぞれ嵌入し、矩形状に枠組構成する。組合せ体の右連結フレーム３０Ｒ’（左連結フレーム３０Ｌ’）に形成された挿入凹部３２’に沿って上フレーム２０Ｕ（下フレーム２０Ｄ）の取付凸部２２をスライド収納させ、ビス３９（締結部材）を上下端部側の延出部３１の取付孔３３に挿通し、取付凸部２２のねじ孔２３と螺合して、延出部３１（挿入凹部３２）と取付凸部２２とを固定する（図６（ｂ）参照）。
【００５７】
（実施例２）
次に、図１８は本発明に係る第二の内枠構造を示す図４相当の分解斜視図及び図６（ａ）相当の断面図である。図１８に示す上フレーム４２０Ｕ（横フレーム；第二フレーム）の長手方向両端部に形成された第二係合部４２１は、右フレーム４１０Ｒ（縦フレーム；第一フレーム）の壁部４１２（第一係合部）を外側から取り囲んでいる。そして、右フレーム４１０Ｒ，上フレーム４２０Ｕ及び右連結フレーム３０Ｒ（連結フレーム）は、以下に示す第四の組立方法によって組み立てられる。
【００５８】
＜第四の組立方法＞
図１８（ａ）に示すように、上フレーム４２０Ｕ（下フレーム４２０Ｄ）の第二係合部４２１が右フレーム４１０Ｒ（左フレーム４１０Ｌ）の壁部４１２と嵌合するとき、壁部４１２を外側から取り囲み、第二係合部４２１の内周面が壁部４１２の外周面と摺動して回動軸線Ｏ方向（下方向）に移動する。そして、右連結フレーム３０Ｒ（左連結フレーム３０Ｌ）が上フレーム４２０Ｕ（下フレーム４２０Ｄ）の第二係合部４２１を右フレーム４１０Ｒ（左フレーム４１０Ｌ）側に挟み込む状態にて、右連結フレーム３０Ｒ（左連結フレーム３０Ｌ）の延出部３１が、ビス３９（締結部材）によって上フレーム４２０Ｕ（下フレーム４２０Ｄ）に固定される。
【００５９】
（実施例３）
次に、図１９は本発明に係る第三の内枠構造を示す図４相当の分解斜視図及び図６（ａ）相当の断面図である。図１９に示す右フレーム５１０Ｒ（縦フレーム；第一フレーム）の壁部５１２（第一係合部）は、部分的に開放されたＬ字形の断面形状をなす貫通孔１１”が形成されるように、中央側の前後方向一辺が削除されており、上フレーム５２０Ｕ（横フレーム；第二フレーム）の第二係合部５２１を外側から取り囲んでいる。そして、右フレーム５１０Ｒ，上フレーム５２０Ｕ及び右連結フレーム３０Ｒ（連結フレーム）は、以下に示す第五の組立方法によって組み立てられる。
【００６０】
＜第五の組立方法＞
図１９（ａ）に示すように、右フレーム５１０Ｒ（左フレーム５１０Ｌ）の壁部５１２が上フレーム５２０Ｕ（下フレーム５２０Ｄ）の第二係合部５２１と嵌合するとき、第二係合部５２１を外側から取り囲み、壁部５１２の内周面が第二係合部５２１の外周面と摺動して回動軸線Ｏと直交する中央方向（水平左右方向）に移動する。そして、右連結フレーム３０Ｒ（左連結フレーム３０Ｌ）が右フレーム５１０Ｒ（左フレーム５１０Ｌ）を上フレーム５２０Ｕ（下フレーム５２０Ｄ）の第二係合部５２１側に挟み込む状態にて、右連結フレーム３０Ｒ（左連結フレーム３０Ｌ）の延出部３１が、ビス３９（締結部材）によって上フレーム５２０Ｕ（下フレーム５２０Ｄ）に固定される。
【００６１】
（実施例４）
次に、図８は本発明に係る第四の内枠構造を示す後方からの全体斜視図、図９はその内枠構造の主要部を分解して示す斜視図である。図８及び図９に示す内枠４において、左連結フレーム１３０Ｌ（連結フレーム）には、球（ＣＲ機では貸球及び賞球、現金機では賞球）を払い出すための払出回転体及びその駆動源を含む球通路部１３５が、高分子（例えばＡＢＳ樹脂等の合成樹脂）材料にて一体成形されている。そして、球通路部１３５をベース体１３６及びカバー体１３７で覆うことにより払出装置Ｅが形成されている。
【００６２】
このように、左連結フレーム１３０Ｌに球通路部１３５を一体成形することにより、払出装置Ｅを取り付けるための孔等の二次加工を左フレーム１０Ｌ（縦フレーム；第一フレーム）に施さなくてすむので、製造工程の簡素化、ひいては製造コストの低減を図ることができる。また、払出装置Ｅの小型化と遊技機１の内部構造の簡素化を図り、背面側スペースを拡大することができる。
【００６３】
（実施例５）
次に、図１０は本発明に係る第五の内枠構造を示す後方からの全体斜視図、図１１はその内枠構造の主要部を分解して示す斜視図である。図１０及び図１１に示す内枠４において、左連結フレーム２３０Ｌ（連結フレーム）には、球（ＣＲ機では貸球及び賞球、現金機では賞球）の払出装置Ｅを取り付けるためのベース部２３５が高分子（例えばＡＢＳ樹脂等の合成樹脂）材料にて一体成形されている。そして、ベース部２３５に対して、球を払い出すための払出回転体及びその駆動源を含む球通路体２３６と、球通路体２３６を覆うカバー体２３７とを組み付けることにより払出装置Ｅが形成されている。
【００６４】
このように、左連結フレーム２３０Ｌに払出装置Ｅのためのベース部２３５を形成することにより、払出装置Ｅを取り付けるための孔等の二次加工を左フレーム１０Ｌ（縦フレーム；第一フレーム）に施さなくてすむので、製造工程の簡素化、ひいては製造コストの低減を図ることができる。また、この場合には、ベース部２３５に対して、遊技に対する貸球や賞球を払い出すための球通路体２３６と、その球通路体２３６を覆うカバー体２３７とを組み付けることにより、払出装置Ｅの取付工程を簡略化することができる。
【００６５】
（実施例６）
次に、図２０は本発明に係る第六の内枠構造の主要部を分解して示す斜視図である。図２０に示す左連結フレーム３３０Ｌ（連結フレーム）には、球（ＣＲ機では貸球及び賞球、現金機では賞球）の払出装置Ｅを取り付けるためのベース部３３５が高分子（例えばＡＢＳ樹脂等の合成樹脂）材料にて一体成形されている。そして、球を払い出すための払出回転体及びその駆動源を含む球通路体、球通路体を覆うカバー体等を有する収納ケース３３９から突出する係止爪３３９’（ケース側係止部）を、ベース部３３５に形成された係止溝３３５’（ベース側係止部）に組み付けることにより、払出装置Ｅが構成されている。
【００６６】
このように、左連結フレーム３３０Ｌに払出装置Ｅのためのベース部３３５を形成することにより、払出装置Ｅを取り付けるための孔等の二次加工を左フレーム（縦フレーム；第一フレーム；図示せず）に施さなくてすむので、製造工程の簡素化、ひいては製造コストの低減を図ることができる。また、この場合には、左連結フレーム３３０Ｌに払出装置Ｅのためのベース部３３５を形成し、払出装置Ｅの主要部をなす球通路体やカバー体をセットで組み付け収納してユニット化してあるので、遊技機１の内部構造の簡素化や背面側スペースの拡大とともに、払出装置Ｅの取付工程を簡略化することができる。
【００６７】
（実施例７）
次に、図１２は本発明に係る第七の内枠構造を示す後方からの全体斜視図、図１３はその内枠構造の主要部を分解して示す斜視図、図１４は内枠構造の接続構成を拡大して示す側面図、図１５は図１４のＡ’−Ａ’断面図である。これらの図に示す内枠４において、金属材料（例えばスチール板金）製の右連結フレーム３３０Ｒ（連結フレーム）には、外枠５（図１参照）に対する施錠装置Ｌが搭載されている。具体的には、右連結フレーム３３０Ｒは、右フレーム１０Ｒ（縦フレーム；第一フレーム）を上フレーム２０Ｕ及び下フレーム２０Ｄ（横フレーム；第二フレーム）側（左側）に押圧した状態で、延出部３１がビス３９（締結部材）によって上フレーム２０Ｕ及び下フレーム２０Ｄの長手方向先端部に固定されている。
【００６８】
このように、右連結フレーム３３０Ｒに施錠装置Ｌを搭載することにより、右連結フレーム３３０Ｒが施錠装置Ｌの主要部を兼ねることが可能となり、施錠装置Ｅを取り付けるための孔等の二次加工を右フレーム１０Ｒに施さなくてすむので、製造工程の簡素化、ひいては製造コストの低減を図ることができる。また、右連結フレーム３３０Ｒは金属材料（例えばスチール板金）製にて形成されるので、右フレーム１０Ｒとともに内枠４の強度（剛性）を高めることができる。
【００６９】
なお、変形例１・２及び実施例２〜７（図８〜図２０）において実施例１（図２〜図７）と共通の機能を有する部分には同一符号を付して説明を省略した。また、これらの変形例及び実施例は、適宜組み合わせて実施することが可能である。
【００７０】
以上の実施例ではパチンコ機の内枠構造のみについて説明したが、アレパチ機等の他の弾球遊技機の内枠構造に用いてもよい。
【符号の説明】
【００７１】
１        パチンコ機（遊技機）
２        遊技盤
２ａ      遊技領域
３        液晶表示部
４        内枠（内枠構造；遊技機用内枠構造）
４ａ      ヒンジ
１０Ｌ    左フレーム（縦フレーム；第一フレーム）
１０Ｒ    右フレーム（縦フレーム；第一フレーム）
１１      貫通孔（係合凹部；第一係合部）
１２      壁部
１３      開口部
２０Ｕ    上フレーム（横フレーム；第二フレーム）
２０Ｄ    下フレーム（横フレーム；第二フレーム）
２１      係合凸部（第二係合部）
２２      取付凸部
２３      ねじ孔
３０Ｌ    左連結フレーム（連結フレーム）
３０Ｒ    右連結フレーム（連結フレーム）
３１      延出部
３２      挿入凹部
３３      取付孔
３４      切欠
３９      ビス（締結部材）
１３０Ｌ  左連結フレーム（連結フレーム）
１３５    球通路部
１３６    ベース体
１３７    カバー体
２３０Ｌ  左連結フレーム（連結フレーム）
２３５    ベース部
２３６    球通路体
２３７    カバー体
３３０Ｒ  右連結フレーム（連結フレーム）
４１２    壁部（第一係合部）
４２０Ｕ  上フレーム（横フレーム；第二フレーム）
４２１    第二係合部
Ｅ        払出装置
Ｌ        施錠装置
Ｏ        回動軸線
Ｓ        上下空間（長手空間）
Ｗ        電気配線
【図１】
2011024627.tif 000003
【図２】
2011024627.tif 000004
【図３】
2011024627.tif 000005
【図４】
2011024627.tif 000006
【図５】
2011024627.tif 000007
【図６】
2011024627.tif 000008
【図７】
2011024627.tif 000009
【図８】
2011024627.tif 000010
【図９】
2011024627.tif 000011
【図１０】
2011024627.tif 000012
【図１１】
2011024627.tif 000013
【図１２】
2011024627.tif 000014
【図１３】
2011024627.tif 000015
【図１４】
2011024627.tif 000016
【図１５】
2011024627.tif 000017
【図１６】
2011024627.tif 000018
【図１７】
2011024627.tif 000019
【図１８】
2011024627.tif 000020
【図１９】
2011024627.tif 000021
【図２０】
2011024627.tif 000022